(57)【要約】【課題】天井直付型の家庭用照明器具について、昇降用の電源を必要とせず、ランプ交換を簡単に行えるようにする。【解決手段】この照明器具の昇降機構は、天井面３に取り付けられた上部取付体１０と；天井面３から電源を供給するための電源線２１が結線された引掛シーリング２２を固定した下部取付体２０とを連結及び回転しないように支持すると共に伸縮自在なガイド機構としての折り畳みはしご状部材１８と；上部取付体１０と下部取付体２０とを連結し、下部取付体２０と照明器具本体３０とを含む重量を支持するには満たない力で下部取付体２０を引き上げる方向に付勢する機械的付勢機構としての定力スプリングドライブ機構１２とを具備する。【選択図】      図１
2004171900.tif 000002
【特許請求の範囲】
【請求項１】
天井面に取付けられた上部取付体と；
前記天井面側から電源を供給するための電源供給手段が接続されると共に照明器具本体を取付ける照明器具取付部が設けられている下部取付体と；
前記上部取付体と前記下部取付体とを連結すると共に前記下部取付体の回動を抑える方向に前記下部取付体をガイドしつつ連結間隔の中で伸縮自在なガイド機構と；
前記上部取付体と前記下部取付体とを連結し、前記下部取付体とこの下部取付体の照明器具取付部に取り付ける照明器具本体を含む重量を支えるには満たない力で前記下部取付体を前記上部取付体へ引き上げる方向に付勢する機械的付勢機構と；
前記照明器具本体を前記上部取付体の位置まで押し上げたときに前記下部取付体を前記上部取付体に係止する係止機構と；
を具備したことを特徴とする照明器具昇降装置。
【請求項２】
引掛シーリングに取付けられた上部取付体と；
前記引掛シーリングから電源を供給するための電源供給手段が接続されると共に、照明器具本体を取付ける照明器具取付部が設けられている下部取付体と；
前記上部取付体と前記下部取付体とを連結すると共に前記下部取付体の回動を抑える方向に前記下部取付体をガイドしつつ連結間隔の中で伸縮自在なガイド機構と；
前記上部取付体と前記下部取付体とを連結し、前記下部取付体とこの下部取付体の照明器具取付部に取り付けた照明器具本体を含む重量を支えるには満たない力で前記下部取付体を前記上部取付体へ引き上げる方向に付勢する機械的付勢機構と；
前記照明器具本体を前記上部取付体の位置まで押し上げたときに前記下部取付体を前記上部取付体に係止する係止機構と；
を具備したことを特徴とする照明器具昇降装置。
【請求項３】
降下した照明器具本体を、水平方向以外の角度で定位させる手段を具備したことを特徴とする請求項１、２いずれか記載の照明器具昇降装置。
【請求項４】
請求項１ないし３いずれか１記載の照明器具昇降装置と；
下部取付体の照明器具取付部に機械的に接続されたシャーシ、及び下部取付体と電気的に接続されランプを点灯する点灯装置が設けられる照明器具本体と；
を具備したことを特徴とする照明装置。
【発明の詳細な説明】
【０００１】
【発明の属する技術分野】本発明は、例えば照明器具昇降装置、照明装置に関する。
【０００２】
【従来の技術】家庭用照明器具は、天井面に固定された引掛シーリングに直接取り付ける天井直付型のものが多くあり、このような天井直付型の照明器具を取り付けたり、取り外したりする場合、天井の高さの関係で、通常、作業者は、踏み台などに上る必要がある。
【０００３】
そこで、近年では、下記のように照明器具を昇降させる技術が提案されている（例えば特許文献１参照）。
特許文献１に記載された従来の照明器具昇降装置は、照明器具本体をワイヤーで吊り下げ、モーターなどの電動駆動機構によりワイヤーの巻き上げ巻き戻しを行うことで照明器具本体の上下動作（昇降動作）を行うものである。
【０００４】
【特許文献１】
特開２００２−１０９９４８号公報（第３頁−第５頁）
【０００５】
【発明が解決しようとする課題】しかしながら、上記特許文献１の技術では、以下のような問題があった。
すなわち、モーターなどの電動駆動機構を持つ照明器具は、装置全体として大型化すると共に重量も大きくなってしまうため、引掛シーリングにかかる荷重が大きくなってしまうおそれがあり、必ずしも好適なものというわけではなかった。
また、仮に、電動駆動機構を簡略化するために昇降装置内に内蔵した電池により駆動させる構造も考えられるが、照明器具のランプ切れは、一年に一、二度程度しか発生せず、電池が自然放電して実際に使用するときに動作不良が起こり得るという問題があった。
【０００６】
さらに、上記特許文献１の技術の場合、照明器具をワイヤーで吊り下げているだけのため、照明器具を降下させたときに器具自体がふらつき、例えばセードを回転させて取り外す形態の円型照明器具の場合、セードに力を加えると器具本体と共に回転してしまい、照明器具本体からセードを容易に外せないという問題があった。また、降下時にワイヤーがねじれ等で引っかかり動作不良を起こす可能性もある。
【０００７】
本発明はこのような課題を解決するためになされたもので、昇降用の電源を必要とせず、ランプ交換を簡単に行うことのできる照明器具昇降装置、照明装置を提供することを目的としている。
【０００８】
【課題を解決するための手段】上記した課題を解決するために、本発明の照明器具昇降装置は、天井面に取付けられた上部取付体と；前記天井面側から電源を供給するための電源供給手段が接続されると共に照明器具本体を取付ける照明器具取付部が設けられている下部取付体と；前記上部取付体と前記下部取付体とを連結すると共に前記下部取付体の回動を抑える方向に前記下部取付体をガイドしつつ連結間隔の中で伸縮自在なガイド機構と；前記上部取付体と前記下部取付体とを連結し、前記下部取付体とこの下部取付体の照明器具取付部に取り付ける照明器具本体を含む重量を支えるには満たない力で前記下部取付体を前記上部取付体へ引き上げる方向に付勢する機械的付勢機構と；前記照明器具本体を前記上部取付体の位置まで押し上げたときに前記下部取付体を前記上部取付体に係止する係止機構と；を具備したことを特徴としている。
【０００９】
本発明の照明器具昇降装置は、引掛シーリングに取付けられた上部取付体と；前記引掛シーリングから電源を供給するための電源供給手段が接続されると共に、照明器具本体を取付ける照明器具取付部が設けられている下部取付体と；前記上部取付体と前記下部取付体とを連結すると共に前記下部取付体の回動を抑える方向に前記下部取付体をガイドしつつ連結間隔の中で伸縮自在なガイド機構と；前記上部取付体と前記下部取付体とを連結し、前記下部取付体とこの下部取付体の照明器具取付部に取り付けた照明器具本体を含む重量を支えるには満たない力で前記下部取付体を前記上部取付体へ引き上げる方向に付勢する機械的付勢機構と；前記照明器具本体を前記上部取付体の位置まで押し上げたときに前記下部取付体を前記上部取付体に係止する係止機構と；を具備したことを特徴としている。
本発明の照明装置は、上記照明器具昇降装置と；下部取付体の照明器具取付部に機械的に接続されたシャーシ、及び下部取付体と電気的に接続されランプを点灯する点灯装置が設けられる照明器具本体と；を具備したことを特徴としている。
【００１０】
この発明では、下部取付体の回動を抑える方向に下部取付体をガイドしつつ連結間隔の中で伸縮自在なガイド機構と、下部取付体を上部取付体へ引き上げる方向に付勢する機械的付勢機構とを設けたことで、照明装置として、昇降用の電源を必要とせず、作業者がランプ交換を簡単に行うことができる。
【００１１】
なお、上記照明器具昇降装置において、係止機構が解除されて下降した照明器具本体を、水平方向以外の角度で定位させる手段を備えることで、作業者は、照明器具本体からセードを着脱する際に、無理のない姿勢を取れるので、照明器具の脱着をさらに容易に行うことができる。
【００１２】
【発明の実施の形態】以下、本発明の実施の形態を図面を参照して詳細に説明する。
図１は本発明に係る一つの実施の形態の照明装置の構成を示す側面図、図２は図１の照明装置の正面図である。
図１，２に示すように、この実施形態の照明装置は、天井面３に突設されたボルト５にナット１１で締め付けて固定した上部取付体１０と、天井面３から電源を供給するための電源線２１などの電源供給手段が結線（接続）された照明器具取付部である引掛シーリング２２を固定した下部取付体２０と、この下部取付体２０の引掛シーリング２２に取り付けられた照明器具本体３０と、天井側に固定された照明器具本体３０を取り外す際に照明器具本体３０をその重みと引き上げ力との差で緩やかに降下させる昇降機構（昇降装置）とを備えている。
【００１３】
上部取付体１０には、シャーシ１３、リンクバー１４、ロック解除レバー１５、スプリング１６、ロック爪１７などからなる係止機構が設けられており、ロック解除レバー１５とロック爪１７がリンクして動作するようにされている。
シャーシ１３は、上部取付体１０から水平方向へ突出して上部取付体１０に固定されている。シャーシ１３には、Ｔ字状のロック解除レバー１５が回動自在に取り付けられている。ロック解除レバー１５の一端は、リンクバー１４に、他端はスプリング１６に取り付けられている。スプリング１６は、ロック爪１７を引く方向に付勢している。ロック爪１７は、上部取付体１０から立ち上げられた支持部に回動自在に取り付けられており、ロック解除レバー１５を下方から押し上げることで、リンクバー１４が、図面上向かって右方向に移動し、ロック爪１７を図面上向かって左側に回動させてロックを解除する。
【００１４】
昇降機構（昇降装置）は、上部取付体１０と下部取付体２０とを連結し昇降させるものであり、上部取付体１０に固定され、板状スプリング１２ａを有する機械的付勢機構としての定力スプリングドライブ機構１２と、両端部が上部取付体１０の軸１９と下部取付体２０の軸２３により支持され、下部取付体２０の回動を抑える方向に下部取付体２０をガイドしつつ連結間隔の中で伸縮自在なガイド機構としての折り畳みはしご状部材１８と、定力スプリングドライブ機構１２の板状スプリング１２ａの一端を下部取付体２０のシャーシ２８に固定された蝶番２９とを有している。
定力スプリングドライブ機構１２は、カールされた板状スプリング１２ａの一定の巻き込み力で巻き戻す（引き上げる）方向に付勢する。照明器具本体３０の重量が例えば５Ｋｇ程度であれば、一定の力は、４．５Ｋｇ程度である。使用状態（天井面に照明装置を取り付けた状態）で、定力スプリングドライブ機構１２には照明器具本体３０の重量と下部取付体２０の重量と折り畳みはしご状部材１８の重量がかかることになるため、照明器具本体３０を降下させた状態から押し上げるためには、例えば１〜１．５Ｋｇ程度の押し上げ力が必要になるが、体感的には、照明器具本体３０の重量（５Ｋｇ）の比べ、はるかに軽く感じられる。
【００１５】
つまり、昇降機構（昇降装置）は、上部取付体１０と下部取付体２０とを連結すると共に上部取付体１０と下部取付体２０とのねじれ（回動）を抑える方向に下部取付体２０を伸縮自在にガイドする折り畳みはしご状部材１８と、上部取付体１０と下部取付体２０とを板状スプリング１９と蝶番２９とで連結し、下部取付体２０と引掛シーリング２１に取り付けた照明器具本体３０を含む重量を支えるには満たない力で下部取付体２２を上部取付体１０へ引き上げる方向に付勢する定力スプリングドライブ機構１２と、照明器具本体３０を上部取付体１０の位置まで押し上げたときに下部取付体２０を上部取付体１０に係止する係止機構（シャーシ１３、リンクバー１４、ロック解除レバー１５、スプリング１６、ロック爪１７など）を備えている。
【００１６】
なお、ロック解除レバー１５の操作により係止機構が解除され、照明器具本体３０が降下した際に、照明器具本体３０は、定力スプリングドライブ機構１２と折り畳みはしご状部材１８によって、水平方向以外の角度、例えば水平方向を０°とした場合に４５°程度傾斜させた状態で定位する。
【００１７】
折り畳みはしご状部材１８は、上部取付体１０の厚みの中に収容可能なように、各はしご部分の長さ、折り畳まれる幅が１回りづづ小さく設計されている（図２参照）。折り畳みはしご状部材１８の関節部分には、例えば９０°の角度まで開放するよう規制爪（図示せず）が設けられている。なお、この角度は一例であり、他の角度であってもよい。
下部取付体２０は、引掛シーリング２２、軸２３、２４、押上部２６、器具取付板２７、シャーシ２８、蝶番２９等を有している。引掛シーリング２２は、下部取付体２０に照明器具本体３０を取り付け固定すると共に電源線２１を通じて電源を供給するためのものである。軸２３は、シャーシ２８に固定されており、折り畳みはしご状部材１８の一端を回動自在に支持している。軸２３と軸２４は、天井側に押し上げられたときにロック爪１７によって係止される。押上部２６は、降下させた照明器具本体３０を上昇させる際に押し上げ用の棒材などをあてがい押し上げるためのものである。器具取付板２７は、ほぼ円板状の平らな金属板であり、セード３４の開口を塞ぐ形で照明器具本体３０に対する防塵を行う。器具取付板２７には、電源線２１を通過させるための穴が設けられている。シャーシ２８は、器具取付板２７のほぼ中央部に固定されており、昇降機構の一部を担う。蝶番２９は、照明器具本体３０の重量をバランスさせる器具取付板２７上の位置に固定されている。蝶番２９には、定力スプリングドライブ機構１２の板状スプリング１２ａの一端が回動自在に支持されている。
照明器具本体３０は、アダプタ３１、ホルダ３２、蛍光ランプ３３、セード３４、シャーシ（図示せず）などを有している。アダプタ３１は、引掛シーリング２２に引っ掛けて取り付けるものである。シャーシ（図示せず）は、ホルダ３２を支持するものであり、引掛シーリング２２にアダプタ３１を介して機械的に接続（結合）される。ホルダ３２は、蛍光ランプ３３を支持するものである。ホルダ３２あるいはシャーシには、下部取付体２０（引掛シーリング２２）と電気的に接続された蛍光ランプ３３の点灯装置などが内蔵されている。セード３４は、ほぼ円形状をしており、蛍光ランプ３３の防塵、照明光の拡散をおこなうものである。セード３４は、照明器具本体３０にターン方式で固定され、回転させて取り外すことができる。
つまり、この照明器具本体３０は、引掛シーリング２２にアダプタ３１を取り付けた上でワンタッチで固定可能な照明器具であり、一般の家屋の天井面３に設けられている引掛シーリングにも取り付けられる汎用のものである。
【００１８】
ここで、この実施形態の照明装置における蛍光ランプ３３の交換作業について説明する。
図３に示すように、天井面３にこの照明装置を取り付けた状態から、照明器具本体３０を降下させる上で、照明器具本体３０に手が届かないような高所に取り付けられている場合、作業を行う人（作業者）は、押し上げ棒などを用いてロック解除レバー１５を上方（矢印Ａ）に押し上げる。
すると、ロック解除レバー１５にリンクバー１４を介して連結されているロック爪１７が矢印Ｂの方向に開放動作し、シャーシ２８の軸２３，２４から外れてロックが解除される。
ロックが外れた照明器具本体３０は、降下して折り畳みはしご状部材１８が全開した位置で斜めに停止する（図１の状態）。
この状態では、照明器具本体３０は、４５°程度傾斜しており、作業者は、斜め下からセード３４を見て、セード３４を手で回わすことができる。
【００１９】
作業者がセード３４を回転させるために手でセード３４を押さえて回転力を加えると、折り畳みはしご状部材１８によって回転方向には器具取付板２７が回転しないようにガイドされているためセード３４だけが回り、他の人に支えてもらうことなくセード３４を簡単に取り外すことができる。セード３４を取り外すと、作業者には、ホルダ３２に掛けられている蛍光ランプ３３がそのまま見えるので、交換対象の蛍光ランプ３３を容易に取り外し、新しい蛍光ランプ３３をホルダ３２に取り付けることができる。なお、照明器具本体３０が水平状態で停止した場合、作業者は、蛍光ランプ３３を真上に見上げながら作業することになり作業し難い体勢をとる必要がある。
そして、作業者は、セード３４を照明器具本体３０にあてがい、回転させて固定し、図１の状態にする。
【００２０】
その後、作業者は、照明器具本体３０を手の届く高さまで持ち上げた後、押上部２６に押し上げ棒をあてがって、天井面３に固定されている上部取付体１０の位置まで押し上げる。
すると、折り畳みはしご状部材１８が折り畳まれて上部取付体１０に収容されると共にシャーシ２８の軸２３，２４がロック爪１７によって係止（ロック）される。これで、照明器具本体３０の蛍光ランプ３３の交換を終えることができる。
【００２１】
このようにこの実施形態の照明装置によれば、上部取付体１０に収容可能な折り畳みはしご状部材１８と定力スプリングドライブ機構１２を用いた昇降機構を設けたことで、天井直付型照明器具の蛍光ランプの交換を行う上で、照明器具自体を昇降させる電源を必要とせず、作業者は、踏み台などに上ることなく押し上げ棒を用いて簡単にランプ交換作業を行うことができる。
【００２２】
本発明は上記実施形態のみに限定されるものではない。
上記実施形態では、手の届かないような高所取り付けの場合について説明したが、天井面３に取り付けられた照明装置のロック解除レバー１５の位置がどうにか手が届くような高さであれば、押し上げ棒を使うことなく蛍光ランプ３３、照明器具本体３０などの交換、あるいはセード３４の掃除などを容易に行うことができる。
また、上記実施形態では、天井面３に突設されたボルト５とナット１１で上部取付体１０を固定したが、天井に設けられている引掛シーリングへ直接昇降装置を取付ける構造としてもよく、この場合、天井面３に設けられた引掛シーリング２２に取付けられた上部取付体１０と、引掛シーリング２２から電源を供給するための電源線２１などの電源供給手段が接続されると共に、照明器具本体３０を取付ける照明器具取付部が設けられている下部取付体２０と、この下部取付体２０と上部取付体１０とを連結及び回転しないように支持する折り畳みはしご状部材１８と、上部取付体１０と下部取付体２０とを連結し、下部取付体２０と照明器具本体３０とを含む重量を支持するには満たない力で下部取付体２０を引き上げる方向に付勢する定力スプリングドライブ機構１２とを有する構成となる。
さらに、上記実施形態では、ガイド機構に折り畳みはしご状部材１８を用いたが、この他、図４に示すように、ガイド手段を格子状としてもよく、また、図５に示すように、径の異なる筒状部材５１を連結し伸縮自在とした連結筒状機構としてもよい。但し連結筒状機構には、筒状部材５１が軸方向に回らないようなガイド機構あるいは係止機構を備える必要がある。また、伸縮機構とスライド機構とを組み合わせたものであってもよい。
また、上記実施形態では、定力スプリングドライブ機構１２の板状スプリング１２ａで直接下部取付体２０を支持したが、これ以外に、例えば図６に示すように、上部取付体１０に定力スプリングドライブ機構１２とワイヤ巻き取り機構６１とを併設し、ワイヤ６１ａを下部取付体２０に接続した構成をとってもよい。さらに、上記実施形態では、定力スプリングドライブ機構１２と折り畳みはしご状部材１８を用いたが、この他、折り畳みはしご状部材１８の代替として、例えば図７，８に示すように、複数の棒状部材７１を蝶番などで回動可能に３段に連結し、それぞれの段の棒状部材７１間に筋交い部材７２（ヒンジレバー）を取り付ける一方、棒状部材７１の端部にロック機構７３ａ，７３ｂを取り付け、照明器具本体３０を降下させるときに２段階で降下させるような構成をとってもよい。なお、ロック機構７３ａ，７３ｂについては、初めにロック機構７３ａを棒材などで外すことで照明器具本体３０を垂直方向に垂れ下がった中吊りの状態にして、次に垂れ下がった下の部分を下方へ強い力で引いたときに、ロック機構７３ｂのロックが解除される仕組みにすることが望ましい。このように構成することで、照明器具の昇降機構を安価に構成できる。
【００２３】
【発明の効果】以上説明したように本発明によれば、下部取付体の回動を抑える方向に下部取付体をガイドしつつ連結間隔の中で伸縮自在なガイド機構と、下部取付体と照明器具本体を含む重量を支えるには満たない力で下部取付体を上部取付体へ引き上げる方向に付勢する機械的付勢機構とを設けたことで、照明装置として、昇降用の電源を必要とせず、ランプ交換を簡単に行うことができる。
【図面の簡単な説明】
【図１】本発明に係る一実施形態の照明装置の構成を示す側面図。
【図２】図１の照明装置の正面図。
【図３】天井面に照明器具本体をロックした状態を示す側面図。
【図４】ガイド機構の他の例を示す側面図。
【図５】ガイド機構の他の例を示す側面図。
【図６】機械的付勢機構の他の例を示す側面図。
【図７】ガイド機構の他の例により天井面に照明器具本体がロックされた状態を示す側面図。
【図８】図７のガイド機構によりガイドされて照明器具本体が降下した様子を示す図。
【符号の説明】
３…天井面、５…ボルト、１０…上部取付体、１１…ナット、１２…定力スプリングドライブ機構、１３…シャーシ、１４…リンクバー、１５…ロック解除レバー、１６…スプリング、１７…ロック爪、１８…折り畳みはしご状部材、１９…軸、２０…下部取付体、２１…電源線、２２…引掛シーリング、２３、２４…軸、２６…押上部、２７…器具取付板、２８…シャーシ、２９…蝶番、３０…照明器具本体、３１…アダプタ、３２…ホルダ、３３…蛍光ランプ、３４…セード。
【図１】
2004171900.tif 000003
【図２】
2004171900.tif 000004
【図３】
2004171900.tif 000005
【図４】
2004171900.tif 000006
【図５】
2004171900.tif 000007
【図６】
2004171900.tif 000008
【図７】
2004171900.tif 000009
【図８】
2004171900.tif 000010